(57)【要約】【課題】スタンプツールが、基板側に残されること無く、基板の表面に配置してある搬送対象要素を基板から容易にピックアップして搬送することを容易にすることができる搬送装置と、それを用いた素子アレイの製造方法を提供すること。【解決手段】スタンプツール１０を着脱自在に搬送する搬送ヘッド２２と、を有する搬送装置２０である。スタンプツール１０が、基板３０上に所定の固定力Ｆ１で配置してある素子３２ｒを所定の粘着力Ｆ２で粘着可能なスタンプ層１２と、スタンプ層１２を支持し、搬送ヘッド２２が着脱自在に装着可能な取付面１６ａを持つアダプタ板１６と、を有する。搬送ヘッド２２によるアダプタ板１６の取付面１６ａに対する装着力Ｆ３が、固定力Ｆ１よりも大きく、素子３２ｒに対するスタンプ層１２の粘着力Ｆ２が固定力Ｆ１よりも大きい。【選択図】図１Ａ
2022002280.tif 000002
【特許請求の範囲】
【請求項１】
スタンプツールと、
前記スタンプツールを着脱自在に搬送する搬送ヘッドと、を有する搬送装置であって、
前記スタンプツールが、
基板上に所定の固定力（Ｆ１）で配置してある搬送対象要素を所定の粘着力（Ｆ２）で粘着可能なスタンプ層と、
前記スタンプ層を支持し、前記搬送ヘッドが着脱自在に装着可能な取付面を持つアダプタ板と、を有し、
前記搬送ヘッドによる前記アダプタ板の取付面に対する装着力（Ｆ３）が、前記固定力（Ｆ１）よりも大きく、
前記搬送対象要素に対する前記スタンプ層の粘着力（Ｆ２）が、前記固定力（Ｆ１）よりも大きいことを特徴とする搬送装置。
【請求項２】
前記搬送ヘッドによる前記アダプタ板の取付面に対する装着力（Ｆ３）は、主装着手段による主装着力（Ｆ３ａ）と、前記主装着手段以外の副装着手段による副装着力（Ｆ３ｂ）とを含む請求項１に記載の搬送装置。
【請求項３】
前記主装着手段が、前記搬送ヘッドに形成してある真空吸引孔を含む請求項２に記載の搬送装置。
【請求項４】
前記副装着手段が、前記アダプタ板を前記搬送ヘッドに対して着脱自在に取り付けるクランプ機構、静電吸着機構、嵌合機構および螺合機構の内の少なくともいずれか一つを含む請求項２または３に記載の搬送装置。
【請求項５】
前記アダプタ板の側面には、前記スタンプ層に向けて外径が小さくなるテーパ面が形成してある請求項１〜４のいずれかに記載の搬送装置。
【請求項６】
前記アダプタ板の側面に形成してあるテーパ面には、前記副装着手段が有するクランプ機構の爪部が係合可能になっている請求項４または５に記載の搬送装置。
【請求項７】
前記スタンプツールは、
前記スタンプ層が固定され、前記アダプタ板が交換自在に取り付けられる支持板をさらに有する請求項１〜６のいずれかに記載の搬送装置。
【請求項８】
前記支持板は、接着層により前記アダプタ板に交換自在に取り付けられる請求項７に記載の搬送装置。
【請求項９】
前記搬送対象物は、基板の表面に形成してある複数の素子であり、
前記スタンプ層には、前記素子に対応する複数の凸部が形成してあり、
各凸部に、前記素子が着脱自在に粘着される請求項１〜８のいずれかに記載の搬送装置。
【請求項１０】
請求項１〜９のいずれかに記載の搬送装置を用いて、複数の搬送対象要素としての複数の素子を、前記基板から同時に取り出して搬送する工程を有する素子アレイの製造方法。
【発明の詳細な説明】
【技術分野】
【０００１】
本発明は、搬送装置および素子アレイの製造方法に関する。
【背景技術】
【０００２】
極小部品の搬送において、表面に多数の凸部を有するスタンプ状の搬送ツール（スタンプツール）を用いることが検討されている。下記の特許文献１には、そのスタンプ状の搬送ツールの例が開示されている。従来では、熱膨張（coefficient of thrmal expansion）による搬送対象の離脱を可能とするためのスタンプツールが開示されている。
【０００３】
スタンプツールの搬送対象として想定されている極小部品の一例として、ミニＬＥＤ、マイクロＬＥＤと呼ばれるＬＥＤ素子がある。ミニＬＥＤ、マイクロＬＥＤとは、従来の一般的なＬＥＤ素子のものに比べ、幅が１〜８μｍ、長さが５〜１０μｍ、高さが０．５〜３μｍと非常に小さい。
【０００４】
従来技術にもあるように、このようなＬＥＤ素子が多数配置されたウエハから素子をピックアップし、ディスプレイに相当する基板へ搬送することで、ＬＥＤディスプレイを製造することになるが、ＬＥＤが供給されるウエハは、ウエハメーカーや用途により多種多様である。
【０００５】
ＬＥＤ素子を基板へ搬送するにあたり、異なる仕様のウエハを入れ替えながら行う場合があり、その場合、各ウエハに対応するスタンプツールを用いる必要がある。スタンプツールは、一般的な吸着機構付きヘッド（搬送ヘッド）の先端に交換可能に取り付けられる。
【０００６】
この搬送ヘッドに取り付けられたスタンプツールの表面に形成してある粘着性の凸部を、ウエハ上のＬＥＤに接触させることでスタンプに移し替える。この際、スタンプツールが、ＬＥＤを固定しているウエハ表面に接触してしまうと、搬送ヘッドによるスタンプツールへの吸着力よりも、ウエハ表面によるスタンプツールへの接着力が勝ってしまうことによって、スタンプツールが搬送ヘッドから離脱してしまうおそれがある。
【０００７】
特に搬送対象となる部品サイズが小さくなると、それに応じてスタンプツールの凸部のサイズも小さくなるため、凸部以外の平坦面がウエハ表面に接触する可能性は高まる。このスタンプツールの平坦面の接触が生じると、接触面積が増えることにつながるため、意図しない粘着力がスタンプツールに働くことにより、「スタンプツールがウエハなどの基板側に接着してしまい剥がせなくなる」という課題が生じる。
【先行技術文献】
【特許文献】
【０００８】
【特許文献１】米国２０１７／０１７３８５２Ａ１公報
【発明の概要】
【発明が解決しようとする課題】
【０００９】
本発明は、このような実状に鑑みてなされ、その目的は、スタンプツールが、基板側に残されること無く、基板の表面に配置してある搬送対象要素を基板から容易にピックアップして搬送することを容易にすることができる搬送装置と、それを用いた素子アレイの製造方法を提供することである。
【課題を解決するための手段】
【００１０】
上記目的を達成するために、本発明に係る搬送装置は、
スタンプツールと、
前記スタンプツールを着脱自在に搬送する搬送ヘッドと、を有する搬送装置であって、
前記スタンプツールが、
基板上に所定の固定力（Ｆ１）で配置してある搬送対象要素を所定の粘着力（Ｆ２）で粘着可能なスタンプ層と、
前記スタンプ層を支持し、前記搬送ヘッドが着脱自在に装着可能な取付面を持つアダプタ板と、を有し、
前記搬送ヘッドによる前記アダプタ板の取付面に対する装着力（Ｆ３）が、前記固定力よりも大きく、
前記搬送対象要素に対する前記スタンプ層の粘着力（Ｆ２）が、前記固定力（Ｆ１）よりも大きいことを特徴とする。
【００１１】
本発明に係る搬送装置では、搬送ヘッドによる前記アダプタ板の取付面に対する装着力（Ｆ３）が、前記固定力（Ｆ１）よりも大きく、前記搬送対象要素に対する前記スタンプ層の粘着力（Ｆ２）が、前記固定力（Ｆ１）よりも大きい。このため、スタンプツールが、基板側に残されること無く、基板の表面に配置してある搬送対象要素を基板から容易にピックアップして搬送することができる。
【００１２】
好ましくは、前記搬送ヘッドによる前記アダプタ板の取付面に対する装着力（Ｆ３）は、主装着手段による主装着力（Ｆ３ａ）と、前記主装着手段以外の副装着手段による副装着力（Ｆ３ｂ）とを含む。好ましくは、前記主装着手段が、前記搬送ヘッドに形成してある真空吸引孔を含む。真空吸引孔を有する一般的な搬送ヘッドに、副装着手段を設けるのみで、搬送ヘッドによるアダプタ板の取付面に対する装着力（Ｆ３）を、基板に対する搬送対象要素の固定力（Ｆ１）よりも大きくすることが容易になる。
【００１３】
好ましくは、前記副装着手段が、前記アダプタ板を前記搬送ヘッドに対して着脱自在に取り付けるクランプ機構（チャック機構とも言う）、静電吸着機構、嵌合機構および螺合機構の内の少なくともいずれか一つを含む。これらの機構を搬送ヘッドに設けることで、搬送ヘッドによるアダプタ板の取付面に対する装着力（Ｆ３）を、基板に対する搬送対象要素の固定力（Ｆ１）よりも大きくすることが容易になる。
【００１４】
好ましくは、前記アダプタ板の側面には、前記スタンプ層に向けて外径が小さくなるテーパ面が形成してある。また好ましくは、前記アダプタ板の側面に形成してあるテーパ面には、前記副装着手段が有するクランプ機構の爪部が係合可能になっている。このように構成することで、クランプ機構の爪部が、アダプタ板の側面のテーパ面に着脱自在に係合しやすくなる。また、クランプ機構による搬送ヘッドに対するスタンプツールの装着力（Ｆ３）を高めることができる。
【００１５】
前記スタンプツールは、前記スタンプ層が固定されて、前記アダプタ板が交換自在に取り付けられる支持板をさらに有する。このように構成することで、スタンプツールの全体を交換すること無く、スタンプ層が固定してある支持板のみをアダプタ板から交換することができる。そのため、異なる種類のスタンプ層を有するスタンプツールを、低コストで準備することが容易になる。
【００１６】
好ましくは、前記支持板は、接着層により前記アダプタ板に交換自在に取り付けられる。この接着層による接着力は、基板に対する搬送対象要素の固定力（Ｆ１）よりも大きいことが好ましい。
【００１７】
前記搬送対象物は、基板の表面に形成してある複数の素子であってもよく、好ましくは、前記スタンプ層には、前記素子に対応する複数の凸部が形成してあり、各凸部に、前記素子が着脱自在に粘着される。このように構成することで、複数の搬送対象要素としての複数の素子を、前記基板から同時に取り出すことができる。
【００１８】
本発明に係る素子アレイの製造方法は、上記のいずれかに記載の搬送装置を用いて、複数の搬送対象要素としての複数の素子を、前記基板から同時に取り出して搬送する工程を有する。本発明の素子アレイの製造方法では、多数の素子を持つ素子アレイを、容易に製造することができる。
【図面の簡単な説明】
【００１９】
【図１Ａ】図１Ａは本発明の一実施形態に係る搬送装置に用いるスタンプツールの概略正面図と要部拡大図である。
【図１Ｂ】図１Ｂは本発明の他の実施形態に係るスタンプツールの概略正面図である。
【図１Ｃ】図１Ｃは図１Ｂのスタンプツールの変形例の概略平面図である。
【図１Ｄ】図１Ｄは図１Ｃに示すＩＤ−ＩＤに沿うスタンプツールの断面図である。
【図１Ｅ】図１Ｅは図１Ｃに示すＩＥ−ＩＥに沿うスタンプツールの断面図である。
【図２Ａ】図２Ａは図１Ａに示すスタンプツールを着脱自在に搬送する搬送ヘッドを含む搬送装置の概略図である。
【図２Ｂ】図２Ｂは図２Ａに示す搬送ヘッドでスタンプツールを掴んでいる状態を示す搬送装置の概略図である。
【図３Ａ】図３Ａは半導体基板から素子をピックアップする前の状態を示す搬送装置の概略図である。
【図３Ｂ】図３Ｂは図３Ａに示す状態からスタンプツールのスタンプ層を半導体基板上の素子に押し付けている状態を示す搬送装置の概略図である。
【図３Ｃ】図３Ｃは半導体基板から素子をピックアップした後の状態を示す搬送装置の概略図である。
【図４Ａ】図４Ａは本発明の他の実施形態に係る搬送装置に用いられるクランプ機構の爪部の詳細を示す部分概略図である。
【図４Ｂ】図４Ｂは本発明の他の実施形態に係る搬送装置に用いられるクランプ機構の爪部の詳細を示す部分概略図である。
【図５Ａ】図５Ａは半導体基板上に形成してある素子の概略断面図である。
【図５Ｂ】図５Ｂは搬送装置のスタンプツールで半導体基板上の素子をピックアップする状態を示す概略断面図である。
【図５Ｃ】図５Ｃは搬送装置のスタンプツールで半導体基板上の素子をピックアップした後に第１転写用基板（シート）上に配置した状態を示す概略断面図である。
【図５Ｄ】図５Ｄは第１転写用基板（シート）上に配置された素子アレイを第２転写用基板（シート）に転写した状態を示す概略断面図である。
【図５Ｅ】図５Ｅは第２転写用基板（シート）上に配置された素子アレイを実装用基板（シート）に転写する前の状態を示す概略断面図である。
【図５Ｆ】図５Ｆは第２転写用基板（シート）上に配置された素子アレイを実装用基板（シート）に転写した後の状態を示す概略断面図である。
【発明を実施するための形態】
【００２０】
以下、本発明を、図面に示す実施形態に基づき説明する。
【００２１】
第１実施形態
図２Ａに示すように、本実施形態に係る搬送装置２０は、スタンプツール１０と、搬送ヘッド２２とを有する。図１Ａに示すように、スタンプツール１０は、スタンプ層１２と支持板１４とアダプタ板１６とを有する。
【００２２】
スタンプ層１２には、Ｘ軸方向およびＹ軸方向に所定間隔で、Ｚ軸下方に突出する凸部１１がマトリックス状に形成してある。凸部１１のＸ軸方向幅ｘ１と、これらの隣接する凸部１１のＸ軸方向間隔ｘ２は、たとえば図５Ｆに示す実装用基板（基板はシートであってもよい／以下同様）７０に表面に実装される赤色発光のための素子（搬送対象要素の一例）３２ｒのＸ軸方向幅ｘ３およびそれらのＸ軸方向間隔ｘ４などに応じて決定される。
【００２３】
なお、図１Ａには図示されないが、凸部１１のＹ軸方向幅と、これらの隣接する凸部１１のＹ軸方向間隔に関しても同様である。凸部１１は、スタンプ層１２の下面で、マトリックス状に配置され、その配置数は、特に限定されないが、１〜数十万個である。
【００２４】
本実施形態では、図面において、Ｘ軸、Ｙ軸およびＺ軸は、相互に略垂直であり、Ｘ軸およびＹ軸が、スタンプ層１２の平面方向に平行であり、Ｚ軸が凸部１１の突出する方向に平行である。
【００２５】
図１Ａに示すように、スタンプ層１２の凸部１１の突出高さｚ１は、図５Ｂに示す素子３２ｒのＺ軸方向高さｚ２などとの関係で決定され、たとえばＺ軸方向高さｚ２の１〜８倍であることが好ましい。スタンプ層１２のＺ軸方向の厚みｚ３は、特に限定されないが、凸部１１の突出高さｚ１の０．２５倍以上程度が好ましい。なお、素子３２ｒのＸ軸方向幅ｘ３（Ｙ軸方向幅も同程度）は、たとえば１〜１５０μｍであり、その高さｚ２は、たとえば１〜１５０μｍである。
【００２６】
スタンプ層１２と凸部１１とは、これらが強く接合されていれば、別々の材質で構成されてもよいが、同じ材質で構成されていてもよい。同じ材質で構成されることで、凸部１１がスタンプ層１２から剥離するおそれは少なくなる。少なくとも凸部１１は、粘着性を有する材質で構成してあり、図５Ｂに示す素子形成用基板３０上に所定の固定力Ｆ１で配置してある素子３２ｒを所定の粘着力Ｆ２で粘着可能になっている。凸部１１の下端が素子３２ｒの上面に所定力で押し付けられたときに、素子３２ｒに対する凸部１１の粘着力Ｆ２は、素子３２ｒの基板３０に対する固定力Ｆ１よりも大きくなるように、凸部１１の材質や形状などが決定してある。
【００２７】
凸部１１の材質としては、特に限定されないが、たとえばポリジメチルシロキサン（ＰＤＭＳ）、有機シリコン化合物、ポリエーテルゴムなどの粘弾性エラストマーなどが例示される。スタンプ層１２も、凸部１１と同じ材質で構成されていてもよいが、凸部１１以外のスタンプ層１２の表面は、粘着性を有さないことが好ましい。凸部１１以外では、素子３２ｒを粘着力でピックアップしないことが好ましい。
【００２８】
図１Ａに示すように、スタンプ層１２は、支持板１４に固定してある。支持基板１４は、スタンプ層１２よりも剛性が高く、平坦性に優れた材質で構成してあり、好ましくはガラス板、金属板、セラミック板などで構成してある。支持板１４の厚みは、特に限定されないが、好ましくは、０．５ｍｍ以上である。
【００２９】
スタンプ層１２は、支持板１４の表面に直接に形成されてもよく、あるいは、接着層により固定してあってもよい。いずれにしても、スタンプ層１２は、支持板１４の表面に、図５Ｂに示す粘着力Ｆ２よりも十分に高い密着力で固定してある。素子３２ｒは、後工程で、凸部１１から剥がされて、たとえば図５Ｃに示す第１転写用基板（シート）５０の上に配置されるため、その際に、スタンプ層１２が支持板１４から剥がれないことが重要である。
【００３０】
図１Ａに示すように、支持板１４は、スタンプ層１２と反対側の表面で、アダプタ板１６の接着面１６ｂに対して、接着層１５により着脱自在に固定してある。接着層１５による支持板１４とアダプタ板１６との接着力は、図５Ｂに示す粘着力Ｆ２よりも十分に高い接着力である。ただし、繰り返し使用後のスタンプ層１２を交換する際には、支持板１４をアダプタ板１６の接着面１６ｂから取り外せるようになっている。接着層１５は、両面粘着テープなどで構成されていてもよい。
【００３１】
支持板１４のＸ軸方向幅およびＹ軸方向の幅は、スタンプ層１４のそれらよりも大きく、しかも、アダプタ板１６の接着面１６ｂのＸ軸方向幅およびＹ軸方向の幅よりも大きいことが好ましい。アダプタ板１６の接着面１６ｂと反対側の上面は、平坦な取付面１６ａとなっており、取付面１６ａの面積は、接着面１６ｂの面積よりも大きくなるように、アダプタ板１６の少なくともＸ軸方向の両側面は、テーパ面１６ｃとなっている。
【００３２】
すなわち、アダプタ板１６の少なくともＸ軸方向の側面には、スタンプ層１２に向けて外径が小さくなるテーパ面１６ｃが形成してある。テーパ面１６ｃは、アダプタ板１６のＹ軸方向の両側面にも形成してあってもよく、あるいは、アダプタ板１６の側面全周に沿ってテーパ面１６ｃが形成してあってもよい。
【００３３】
アダプタ板１６のＺ軸方向の厚みは、支持板１４の厚みよりも十分に大きく、好ましくは、支持板１４の厚みの１．２倍以上、好ましくは２倍〜６倍程度である。なお、アダプタ板１６の上面にある取付面１６ａの外周縁部には、面取り部あるいはＲ部が形成してあることが好ましい。
【００３４】
アダプタ板１６の上面にある取付面１６ａには、図２Ａに示す搬送装置２０の搬送ヘッド２２の吸着面２４が吸着可能になっている。搬送ヘッド２２の吸着面２４には、主装着手段としての真空吸引孔が形成してあり、真空吸引孔に負圧を発生させることで、吸着面２４にスタンプツール１０のアダプタ板１６の取付面１６ａが真空吸着される。吸着面２４によるスタンプツール１０のアダプタ板１６の取付面１６ａへの真空吸着力を、仮に主装着力Ｆ３ａとする。
【００３５】
また、本実施形態では、搬送ヘッド２２には、開閉機構２８を介してチャック機構２６が装着してある。チャック機構２６の内側には、爪部２６ａが形成してある。爪部２６ａを含むチャック機構２６は、たとえば開閉機構２８によりＸ軸方向に移動し、爪部２６ａが、図２Ａに示すように、吸着面２４の下面の全体を開いたり、図２Ｂに示すように、爪部２６ａが、吸着面２４のＸ軸方向の両側下方に位置するようになっている。
【００３６】
各爪部２６ａには、テーパ状の係合面２６ｂが形成してある。係合面２６ｂのテーパ面は、スタンプツール１０のアダプタ板１６のテーパ面１６ｃの形状に合わせてあり、そのテーパ面１６ｃに係合可能になっている。図２Ａ〜図２Ｂに示すように、アダプタ板1６の取付面１６ａが搬送ヘッド２２の吸着面２４に吸着される前には、チャック機構２６は、開閉機構２８により爪部２６ａが開いている。アダプタ板1６の取付面１６ａが搬送ヘッド２２の吸着面２４に吸着された後に、チャック機構２６は、開閉機構２８により爪部２６ａが閉じられる方向に移動し、係合面２６ｂがテーパ面１６ｃに係合する。
【００３７】
その結果、スタンプツール１０は、搬送ヘッド２２に形成してある主装着手段としての真空吸引孔による主装着力Ｆ３ａと、副装着手段としてのチャック機構２６による副装着力Ｆ３ｂとの合計の装着力Ｆ３で、搬送ヘッド２２に装着される。搬送ヘッド２２の小型化などに伴い、搬送ヘッド２２の真空吸引孔による主装着力Ｆ３単独では、図５Ｂに示す固定力Ｆ１よりも大きくすることは困難になる傾向にある。本実施形態では、副装着手段としてのチャック機構２６による副装着力Ｆ３ｂが、主装着力Ｆ３ａに加わることで、トータルの装着力Ｆ３（＝Ｆ３ａ＋Ｆ３ｂ）は、固定力Ｆ１よりも確実に大きくなる。
【００３８】
次に、本実施形態に係るスタンプツール１０を有する搬送装置２０を用いた表示素子アレイの製造方法について説明する。
【００３９】
図２Ｂに示すように、搬送ヘッド２２にスタンプツール１０を装着した状態で、搬送装置２０をＸ軸およびＹ軸方向に移動させ、図３Ａに示すように、設置台４０の上に設置された素子形成用基板３０の表面に形成してある素子３２ｒの上に位置させる。図５Ａに示すように、素子形成用基板３０の表面には、たとえば赤色発光用の素子３２ｒ、または緑色発光用の素子３２ｇ、または青色発光用の素子３２ｂが作り込まれている。基板３０としては、たとえば素子の種類（青色発光素子、赤色発光素子、緑色発光素子など）によっても異なるが、たとえばサファイヤ基板、ガラス基板、ＧａＡｓ基板、ＳｉＣ基板などが用いられる。
【００４０】
本実施形態では、素子３２ｒ，３２ｇ，３２ｂは、たとえばマイクロＬＥＤ素子である。なお、以下の説明では、素子３２ｒについてのみ説明するが、その他の素子３２ｇ，３２ｂに関しても、それぞれ別々のスタンプツール１０を用いて、同様な操作を行う。スタンプツール１０は、それぞれ異なる素子３２ｒ，３２ｇ，３２ｂの種類毎に準備することが好ましいが、搬送ヘッド２２は、共通して用いることができる。
【００４１】
図３Ａから図３Ｂに示すように、搬送装置２０をＺ軸方向の下方に移動させ、スタンプツール１０の凸部１１を、基板３０の素子３２ｒの上面に押し付ける。その結果、素子３２ｒは、凸部１１に粘着する。その後に、図３Ｃに示すように、スタンプツール１０を、搬送装置２０と共に、Ｚ軸方向の上方に持ち上げる。その結果、図５Ｂに示すように、各凸部１１には、素子３２ｒが粘着して、凸部１１と共に素子３２ｒが基板３０からピックアップされる。基板３０上に残された素子３２ｒは、後で同様にして、搬送装置２０のスタンプ層１０によりピックアップされる。
【００４２】
次に、スタンプ層１０の凸部１１によりピックアップされた素子３２ｒは、たとえば図５Ｃに示す第１転写用基板５０の上に搬送装置２０により搬送されて、粘着層５２の上に配置される。あるいは、スタンプ層１０の凸部１１によりピックアップされた素子３２ｒは、たとえば図５Ｆに示す実装用基板７０の上に搬送装置２０により搬送されて、そこで、実装用基板７０の上に配置されてもよい。本実施形態では、転写法を用いて説明する。
【００４３】
図５Ｂに示すスタンプ層１２の凸部１１に粘着してある素子３２ｒのアレイを、図５Ｃに示す粘着シートなどで構成してある基板５０の粘着層５２の上に転写する。そのために、スタンプ層１２の凸部１１に粘着してある素子３２ｒを、粘着層５２の表面に押し付けてから、スタンプ層１２を搬送装置２０と共に持ち上げる。その結果、粘着層５２の表面に複数の素子３２ｒが同時に転写される。なお、その前に、図３Ｃに示す搬送装置２０は、搬送装置２０の搬送機構により、図５Ｃに示す基板５０の上に移動させられる。
【００４４】
基板５０から成る粘着シートの粘着層５２の粘着力は、凸部１１の粘着力よりも大きくなるように、粘着層５２の粘着力が調整されている。粘着層５２としては、たとえば天然ゴム、合成ゴム、アクリル系樹脂、シリコーンゴムなどの粘着性樹脂で構成され、その厚みｚ４は、好ましくは、素子３２ｒの高さｚ２（図５Ｂ参照）の０．５〜２．０倍程度である。なお、凸部１１から粘着層５２への素子３２ｒの移動をスムーズにするために、凸部１１から素子３２ｒを剥がれやすくするための操作（たとえば熱を加える）を加えてもよい。
【００４５】
基板５０の粘着層５２には、上記と同様にして、その他の素子３２ｇ，３２ｂも転写される。Ｒ，ＧおよびＢの３つの素子３２ｒ，３２ｇ，３２ｂで、一つの画素単位が構成され、それらの画素単位が、マトリックス状に配置されることで、カラー表示画面となることができる。
【００４６】
次に、図５Ｄに示すように、第１転写用基板５０の表面に配置された３つの素子３２ｒ，３２ｇ，３２ｂの配列の全てを、第２転写用基板６０の粘着層６２に転写して、素子３２ｒ，３２ｇ，３２ｂの各端子が、基板６０の外側を向くように配置する。この転写に際しては、たとえばレーザリフト法などの手法を用いてもよいし、粘着力の差を用いた転写、加熱剥離を伴う転写などの方法でもよい。素子３２ｒ，３２ｇ，３２ｂの各端子が、基板６０の外側を向く状態で、各端子には、無電解メッキ法などにより、錫メッキ膜が形成されてもよい。
【００４７】
次に、図５Ｅおよび図５Ｆに示すように、３つの素子３２ｒ，３２ｇ，３２ｂの配列の全てを、基板６０の粘着層６２から、実装用基板７０への転写を行う。その転写に際しても、たとえばレーザリフト法などの手法を用いてもよいし、粘着力の差を用いた転写、加熱剥離を伴う転写などの方法でもよい。
【００４８】
なお、転写後には、各素子３２ｒ，３２ｇ，３２ｂの端子を実装用基板の回路パターンに接続するために、たとえば実装用基板７０の表面に、異方導電性ペースト（ＡＣＰ）を塗布しておき、あるいは異方導電性フィルム（ＡＣＦ）を配置しておくことが好ましい。図５Ｆに示すように、素子３２ｒ，３２ｇ．３２ｂをＡＣＰまたはＡＣＦを介して基板７０の上に配置した後、図示省略してある加熱加圧装置を用いて、各素子３２ｒ，３２ｇ，３２ｂを基板７０の方向に押し付けて加熱すればよい。その結果、各素子３２ｒ，３２ｇ，３２ｂの端子を実装用基板の回路パターンに接続することができる。
【００４９】
本実施形態に係る搬送装置２０では、図２Ｂに示す搬送ヘッド２２によるアダプタ板１６の取付面１６ａに対する装着力Ｆ３が、図５Ｂに示す固定力Ｆ１よりも大きく、素子３２ｒに対するスタンプ層１２の凸部１１の粘着力Ｆ２が、固定力Ｆ１よりも大きい。このため、スタンプツール１０が、基板３０側に残されること無く、基板３０の表面に配置してある素子３２ｒを基板３０から容易にピックアップして搬送することができる。
【００５０】
また、本実施形態では、図２Ｂに示す搬送ヘッド２２によるアダプタ板１６の取付面１６ａに対する装着力Ｆ３は、真空吸引孔の吸着力に対応する主装着力Ｆ３ａと、副装着手段としてのクランプ機構２６による副装着力Ｆ３ｂとの合計である。すなわち、本実施形態では、真空吸引孔を有する一般的な搬送ヘッド２２に、クランプ機構２６を設けるのみで、搬送ヘッド２２によるアダプタ板１６の取付面１６ａに対する装着力Ｆ３を、図５Ｂに示す素子３２ｒの基板３０への固定力Ｆ１よりも大きくすることが容易になる。
【００５１】
さらに本実施形態ではアダプタ板１６のＸ軸方向の両側面には、スタンプ層１２に向けて外径が小さくなるテーパ面１６ｃが形成してある。またテーパ面１６ｃには、クランプ機構２６の爪部２６ａが係合可能になっている。このように構成することで、クランプ機構２６の爪部２６ａが、アダプタ板１６の側面のテーパ面１６ｃに着脱自在に係合しやすくなる。また、クランプ機構２６による搬送ヘッド２２に対するスタンプツール１０の装着力Ｆ３を高めることができる。
【００５２】
スタンプツール１０は、スタンプ層１２が固定されて、アダプタ板１６が交換自在に取り付けられる支持板１４をさらに有する。このように構成することで、スタンプツール１０の全体を交換すること無く、スタンプ層１２が固定してある支持板１４のみをアダプタ板１６から交換することができる。そのため、異なる種類のスタンプ層１２を有するスタンプツール１０を、低コストで準備することが容易になる。また、アダプタ板１６を共用して用いることで、スタンプツールに合わせて、異なる種類の搬送ヘッドを用いる必要が無く、搬送装置の全体構成もシンプルにすることができる。
【００５３】
本実施形態では、スタンプ層１２には、素子３２ｒ（３２ｇ，３２ｂ）に対応する複数の凸部１１が形成してあり、各凸部１１に、素子３２ｒ（３２ｇ，３２ｂ）が着脱自在に粘着される。このように構成することで、多数の素子３２ｒ（３２ｇ，３２ｂ）を、基板３０から同時に取り出すことができる。本実施形態の素子アレイの製造方法では、多数の素子３２ｒ（３２ｇ，３２ｂ）を持つ素子アレイを、容易に製造することができる。
【００５４】
第２実施形態
図１Ｂに示すように、本実施形態の搬送装置に用いられるスタンプツール１０ａでは、スタンプ層１２とアダプタ板１６との間に、支持板１４の平行度を調整するためのシム板１８が介在してある。支持板の側面の一部には、傾斜面１４ａが形成してあり、その傾斜面１４ａにシム板１８が係合し、支持板１４の平行度を調整可能になっている。支持板１４とアダプタ板１６の間に接着層１５を介してシム板１８を設置する態様を用いることで支持板１４の平行度の調整が可能である。
【００５５】
なお、シム板１８を設置する目的は平行度を調整するためなので、シム板１８を設置する位置はこれに限定されない。シム板１８はアダプタ板１６の周縁全てにまたがって設置してもよく、あるいは断続的に設置してもよい。たとえば、図１Ｃ、図１Ｄおよび図１Ｅに示すように、アダプタ板１６の四隅に接着層１５をそれぞれ設けて、Ｙ軸方向の片側２か所のみにシム板１８を、接着層１５を介して、接着面１６ｂと支持板１４の間に設けてもよい。このように構成することで、アダプタ板１６（または、支持板１４）が矩形状である場合に、微量の平行度調整が可能になる。
【００５６】
すなわち、図１Ｃに示すように、アダプタ板１６（または、支持板１４）が矩形状である場合に、対向する辺のうちいずれか一方に、シム板１８を配置することで、平行度の調整が可能である。また、アダプタ板１６（または、支持板１４）が円形状であれば、点対称の位置においていずれか一方の円弧領域に、シム板１８を配置することで、平行度の調整が可能である。
【００５７】
より具体的には、たとえば、図１Ｅに示すように、スタンプ層１２の厚みがＹ軸方向に沿って異なる場合に、支持板１４とアダプタ板１６との間のＹ軸方向片側の隙間にシム板１８を配置することができる。これにより、取付面１６ａとスタンプ層１２のスタンプ面とが平行になり、平行度の調整が可能となる。なお、図１Ｅでは、説明をわかりやすくするため、スタンプ層１２、シム板１８および接着層１５の厚さおよび傾きを実際よりも大きく表している。
【００５８】
本実施形態の搬送装置およびスタンプツールのその他の構成および作用効果は、第１実施形態と同様であり、その詳細な説明は省略する。
【００５９】
第３実施形態
図４Ａに示すように、本実施形態の搬送装置では、チャック機構２６の爪部２６ａの係合面２６ｂに、弾性変形可能な係合凸部２６ｃが装着してあり、その係合凸部２６ｃが、アダプタ板１６のテーパ面１６ｃに係合可能になっている。係合凸部２６ｃは、たとえばスプリング材で構成してあり、係合面２６ｂから円弧状に突出していてもよい。また、図４Ｂに示すように、係合面２６ｂは、必ずしも平面である必要はなく、アダプタ板１６のテーパ面１６ｃに係合可能な凸状曲面であってもよい。本実施形態の搬送装置およびスタンプツールのその他の構成および作用効果は、第１実施形態または第２実施形態と同様であり、その詳細な説明は省略する。
【００６０】
なお、本発明は、上述した実施形態に限定されるものではなく、本発明の範囲内で種々に改変することができる。
【００６１】
たとえば、スタンプツールとしては、上述した実施形態のスタンプツール１０に限定されず、その他のスタンプツールを用いることが可能である。また、搬送ヘッド２２には、クランプ機構２６以外の副装着手段として、静電吸着機構、嵌合機構および螺合機構の内の少なくともいずれか一つを設けてもよい。これらの機構を搬送ヘッドに設けることでも、搬送ヘッド２２によるアダプタ板１６の取付面１６ａに対する装着力Ｆ３を、基板３０に対する素子３２ｒ（３２ｇ，３２ｂも同様）の固定力Ｆ１よりも大きくすることが容易になる。
【００６２】
また、本実施形態に係る搬送装置２０を、素子形成用基板３０からの素子３２ｒ（３２ｇ，３２ｂ）のピックアップに用いたが、その用途に限らず、基板３０からレーザリフト法などにより転写された粘着層付きの基板（シート）からの素子３２ｒ（３２ｇ，３２ｂ）のピックアップに用いてもよい。
【００６３】
また、本実施形態に係る搬送装置２０は、赤色、緑色および青色発光用の素子３２ｒ，３２ｇ，３２ｂ以外の素子のピックアップにも用いることができる。その他の表示素子としては、蛍光素子などが例示される。また、その他の素子としては、表示素子に限らず、受光素子、セラミックコンデンサ、チップインダクタ、等の電子素子、あるいは半導体素子でもよい。
【符号の説明】
【００６４】
１０…  スタンプツール
１１…  凸部
１２…  スタンプ層
１４…  支持板
１４ａ…  傾斜面
１５…  接着層
１６…  アダプタ板
１６ａ…  取付面
１６ｂ…  接着面
１６ｃ…  テーパ面
１８…  シム板
２０…  搬送装置
２２…  搬送ヘッド
２４…  吸着面
２６…  チャック機構
２６ａ…  爪部
２６ｂ…  係合面
２６ｃ…  係合凸部
２８…  開閉機構
３０…  素子形成用基板
３２ｒ，３２ｇ，３２ｂ…  素子
４０…  設置台
５０…  第１転写用基板（シート）
５２…  粘着層
６０…  第２転写用基板（シート）
６２…  粘着層
７０…  実装用基板
【図１Ａ】
2022002280.tif 000003
【図１Ｂ】
2022002280.tif 000004
【図１Ｃ】
2022002280.tif 000005
【図１Ｄ】
2022002280.tif 000006
【図１Ｅ】
2022002280.tif 000007
【図２Ａ】
2022002280.tif 000008
【図２Ｂ】
2022002280.tif 000009
【図３Ａ】
2022002280.tif 000010
【図３Ｂ】
2022002280.tif 000011
【図３Ｃ】
2022002280.tif 000012
【図４Ａ】
2022002280.tif 000013
【図４Ｂ】
2022002280.tif 000014
【図５Ａ】
2022002280.tif 000015
【図５Ｂ】
2022002280.tif 000016
【図５Ｃ】
2022002280.tif 000017
【図５Ｄ】
2022002280.tif 000018
【図５Ｅ】
2022002280.tif 000019
【図５Ｆ】
2022002280.tif 000020